(57)【要約】【課題】加工コストが安価であり、かつ外枠に十分な耐久性を確保できる背負い式粒状物散布器、およびフレームの接合部材を提供する。【解決手段】コ字形をなすフレームと、同じくコ字形をなし、各支柱２２ａの先端をフレームの支柱２１ａのそれぞれに接合されるフレームと、フレームの一対の支柱２１ａとフレームの一対の支柱２２ａの各先端のそれぞれとを接合する接合部材５０とを備え、接合部材５０は、フレームの一対の支柱２１ａを内側に通される円筒部５１と、フレームの一対の支柱２２ａの先端を挿入される円筒部５２と、円筒部５１と円筒部５２とを繋ぐブラケット５３とからなり、さらに接合部材５０は、円筒部５１、円筒部５２、ブラケット５３のそれぞれを半割にして２つに分割可能であり、これら２つの半割体５０ａ，５０ｂが、ネジ６０ａ〜６０ｄによって相互に固定される背負い式粒状物散布器を提供する。【選択図】図３
2007195563.tif 000002
【特許請求の範囲】
【請求項１】
略平行に離間した一対の支柱の基端間に連結部材が架設されることで平面視コ字形をなす第１フレームと、
略平行に離間した一対の支柱の基端間に連結部材が架設されることで平面視コ字形をなし、該一対の支柱の各先端を前記第１フレームの一対の支柱のそれぞれに接合される第２フレームと、
前記第１フレームの連結部材と前記第２フレームの連結部材とに開口部の周縁部がそれぞれ固定され、粉粒状物を収納可能な袋体と、
該袋体の底部に連通状態に取り付けられて袋体に収納された粉粒状物を外部に放出させる放出管と、
前記第１フレームの連結部材および一対の支柱に取り付けられて作業者の両肩に掛けられる一対のストラップと、
前記第１フレームの一対の支柱と前記第２フレームの一対の支柱の各先端のそれぞれとを接合する接合部材とを備え、
前記接合部材は、前記第１フレームの一対の支柱を内側に通される第１円筒部と、前記第２フレームの一対の支柱の先端を挿入される第２円筒部と、前記第１円筒部と前記第２円筒部とを繋ぐブラケットとからなり、
さらに前記接合部材は、前記第１円筒部、前記第２円筒部、前記ブラケットのそれぞれを半割にして２つに分割可能であり、これら２つの半割体が、所定の方向から両者に螺着されるネジによって固定される背負い式粒状物散布器。
【請求項２】
前記第２円筒部をなす一方の半割体に係止爪が形成され、前記第２円筒部をなす他方の半割体には前記係止爪が係止される被係止部が形成され、
前記係止爪は、前記第２円筒部に前記第２フレームの支柱の先端を挿入されたとき、前記被係止部から離脱する方向への変形を前記先端によって阻止されることを特徴とする請求項１記載の背負い式粒状物散布器。
【請求項３】
第１棒状部材の途中に第２棒状部材の先端を接合する接合部材であって、
前記第１棒状部材を内側に通される第１円筒部と、前記第２棒状部材の先端を挿入される第２円筒部と、前記第１円筒部と前記第２円筒部とを繋ぐブラケットとからなり、
さらに前記接合部材は、前記第１円筒部、前記第２円筒部、前記ブラケットのそれぞれを半割にして２つに分割可能であり、これら２つの半割体が、所定の方向から両者に螺着されるネジによって固定される接合部材。
【請求項４】
前記第２円筒部をなす一方の半割体に係止爪が形成され、前記第２円筒部をなす他方の半割体には前記係止爪が係止される被係止部が形成され、
前記係止爪は、前記第２円筒部に前記第２棒状部材の先端を挿入されたとき、前記被係止部から離脱する方向への変形を前記先端によって阻止される請求項３記載の接合部材。
【発明の詳細な説明】
【技術分野】
【０００１】
本発明は、農薬や肥料等の粉粒状物を散布するための背負い式粉粒状物散布器、および同散布器などに採用されるフレームの接合部材に関する。
【背景技術】
【０００２】
農作物を荒らす病害虫の駆除や農耕地に生える雑草の除去のために行われる農薬の散布や、農作物の生育を助ける肥料の散布は、現在の農業において必ず実施されている作業である。これら農薬や肥料の散布作業は、器具を使用しない手蒔きから動力源を備える大掛かりな装置を使用するやり方まで様々である。
【０００３】
上記のような散布作業に使用される散布器具のひとつに、散布すべき農薬や肥料を背負い式の収納部に納め、この収納部の下部に連通状態に取り付けられた放出管から放出させて散布する形態のものがある。この背負い式散布器は、放出管の先端に取り付けるノズルを交換することによって農薬や肥料の粒の大きさや形状を問わず散布が可能であり、また構造が簡単で扱い易いので、様々な散布作業に用いられている。
【０００４】
従来の背負い式散布器には、農薬や肥料等の粉粒状物を収納して背中に背負う収納部と、収納部の下部に連通状態に取り付けられた放出管とを備えるものがある（下記の特許文献１）。
【０００５】
この背負い式散布器においては、フレームが、複雑に屈曲された外枠と、外枠に取り付けた連結部材から下方に伸びる揺動可能な１本の脚とからなり、その内側に粉粒状物を収納する袋体が配設され、さらに外枠には収納部を背負うときに両肩に掛ける一対のストラップが取り付けられている。
【０００６】
上記の背負い式散布器においては、農薬や肥料等を収納した収納部を背負うと、後方に突き出す脚は棒状部材の１本だけとなり、作物の茂った田畑の中を歩いても、歩行の邪魔になったり作物を傷付けたりする可能性が非常に低くなるので、粒状物の散布作業を円滑に進めることができる。
【特許文献１】実開昭６１−１７５９２６号公報
【発明の開示】
【発明が解決しようとする課題】
【０００７】
ところで、上記の背負い式散布器においては、外枠を、金属の棒状部材を複雑に屈曲させて加工する必要があり、加工コストが嵩む。そこで、本発明者は、外枠を、単純な形状の複数の部材を組み合わせて構成することを目論んだ。しかしながら、収納部に農薬や肥料等を収納した場合、複数の部材の接合部に非常に大きな力が作用するため、そのような接合部に十分な強度を与えておかないと、外枠に十分な耐久性が確保できないという問題が明らかになった。
【０００８】
本発明は上記の事情に鑑みてなされたものであり、加工コストが安価であり、かつ外枠に十分な耐久性を確保することが可能な背負い式粒状物散布器、および同散布器などに採用されるフレームの接合部材を提供することを目的としている。
【課題を解決するための手段】
【０００９】
上記の課題を解決するための手段として、次のような構成の背負い式粒状物散布器を採用する。
すなわち本発明の背負い式粒状物散布器は、略平行に離間した一対の支柱の基端間に連結部材が架設されることで平面視コ字形をなす第１フレームと、略平行に離間した一対の支柱の基端間に連結部材が架設されることで平面視コ字形をなし、該一対の支柱の各先端を前記第１フレームの一対の支柱のそれぞれに接合される第２フレームと、前記第１フレームの連結部材と前記第２フレームの連結部材とに開口部の周縁部がそれぞれ固定され、粉粒状物を収納可能な袋体と、該袋体の底部に連通状態に取り付けられて袋体に収納された粉粒状物を外部に放出させる放出管と、前記第１フレームの連結部材および一対の支柱に取り付けられて作業者の両肩に掛けられる一対のストラップと、前記第１フレームの一対の支柱と前記第２フレームの一対の支柱の各先端のそれぞれとを接合する接合部材とを備え、前記接合部材は、前記第１フレームの一対の支柱を内側に通される第１円筒部と、前記第２フレームの一対の支柱の先端を挿入される第２円筒部と、前記第１円筒部と前記第２円筒部とを繋ぐブラケットとからなり、さらに前記接合部材は、前記第１円筒部、前記第２円筒部、前記ブラケットのそれぞれを半割にして２つに分割可能であり、これら２つの半割体が、所定の方向から両者に螺着されるネジによって固定される。
【００１０】
本発明の背負い式粒状物散布器においては、前記第２円筒部をなす一方の半割体に係止爪が形成され、前記第２円筒部をなす他方の半割体には前記係止爪が係止される被係止部が形成され、前記係止爪は、前記第２円筒部に前記第２フレームの支柱の先端を挿入されたとき、前記被係止部から離脱する方向への変形を前記先端によって阻止されるようになっていてもよい。
【００１１】
本発明の接合部材は、第１棒状部材の途中に第２棒状部材の先端を接合する接合部材であって、前記第１棒状部材を内側に通される第１円筒部と、前記第２棒状部材の先端を挿入される第２円筒部と、前記第１円筒部と前記第２円筒部とを繋ぐブラケットとからなり、さらに前記接合部材は、前記第１円筒部、前記第２円筒部、前記ブラケットのそれぞれを半割にして２つに分割可能であり、これら２つの半割体が、所定の方向から両者に螺着されるネジによって固定される。
【００１２】
本発明の接合部材においては、前記第２円筒部をなす一方の半割体に係止爪が形成され、前記第２円筒部をなす他方の半割体には前記係止爪が係止される被係止部が形成され、前記係止爪は、前記第２円筒部に前記第２棒状部材の先端を挿入されたとき、前記被係止部から離脱する方向への変形を前記先端によって阻止されてもよい。
【００１３】
本発明においては、収納部に農薬や肥料等を収納した場合、第１フレームの一対の支柱と前記第２フレームの一対の支柱の各先端のそれぞれとを接合する接合部に非常に大きな力が作用することになる。そこで、この接合部を上記のごとく第１円筒部、前記第２円筒部、前記リブのそれぞれを半割にして２つに分割可能とし、さらにこれら２つの半割体を所定の方向から螺着されるネジによって固定することにより、両フレームを強固に接合することが可能になる。さらに、接合部が２つの部品だけで構成されるため、製造コストの削減が見込める。
【発明の効果】
【００１４】
本発明の背負い式粉粒状物散布器、およびフレームの接合部材によれば、加工コストが安価であり、かつ外枠に十分な耐久性を確保することが可能である。
【発明を実施するための最良の形態】
【００１５】
本発明に係る背負い式粉粒状物散布器の第１の実施形態を図１ないし図５に示して説明する。図１および図２に示す背負い式粉粒状物散布器（以下では単に散布器と称する）は、農薬や肥料等の粉粒状物を収納して背中に背負う収納部１０と、収納部１０の下部に連通状態に取り付けられた円筒形状の放出管１１と、放出管１１の先端に取り付けられた散布ノズル１２とによって構成されている。このうち、収納部１０は、脚を折り畳める外枠２０と、外枠２０の内側に配されて内部に粉粒状物を収納する袋体３０とからなる。
【００１６】
外枠２０は、金属製のパイプの２箇所を屈曲させて平面視コ字型に加工されたフレーム（本発明の第１フレームおよび第１棒状部材に相当）２１と、同じく金属製のパイプの２箇所を屈曲させて平面視コ字型に加工されたフレーム（本発明の第２フレームおよび第２棒状部材に相当）２２とが組み合わされたものである。フレーム２１は、平行に離間した一対の支柱２１ａ，２１ａと、支柱２１ａ，２１ａの基端間に位置する連結支柱（本発明の連結部材に相当）２１ｂとを有している。フレーム２２もフレーム２１とほぼ同形状をなし、一対の支柱２２ａ，２２ａと、支柱２２ａ，２２ａの基端間に位置する連結支柱（本発明の連結部材に相当）２２ｂとを有している。なお、フレーム２１とフレーム２２とは、連結支柱２１ｂおよび２２ｂは同じ長さだが、支柱２１ａと支柱２２ａとの長さを比較するとフレーム２１のほうが長くなっている。
【００１７】
これらフレーム２１，２２は、フレーム２２の支柱２２ａ，２２ａの各先端を、フレーム２１の支柱２１ａ，２１ａに近接させ、いずれの側でも支柱２１ａに対して支柱２２ａが鋭角をなすように配置されている。詳細には、連結支柱２１ｂおよび２２ｂを近づけた状態にして６０°前後をなすように配置されている。そして、フレーム２２は、フレーム２１に、支柱２２ａの先端と支柱２１ａとを２分割された樹脂製の接合部材５０によって固定されている（接合部材５０の構造については後述する）。
【００１８】
フレーム２２の連結支柱２２ｂには、フレーム２１の一対の支柱２１ａ，２１ａとともに地面に接する脚となる金属製の管部材２３が、樹脂製のヒンジ部材７０を介して揺動可能に取り付けられている。外枠２０は、フレーム２１の支柱２１ａ，２１ａをほぼ垂直に立て、管部材２３をフレーム２１から遠ざける方向に開いた状態で、支柱２１ａ，２１ａの下端ならびに管部材２３の下端を接地させることで地上に立てることができる。
【００１９】
袋体３０は、断裂に強い織布を、開口部３１を有する底の深い袋状に縫合したものである。放出管１１は、袋体３０の底に近い側面に、ゴム製のジャバラ３２を介して袋体３０の内側に連通させて取り付けられている。放出管１１の先端には、粉粒状物の拡散を促す形状を有する散布ノズル１２が着脱可能に取り付けられている。また、袋体３０の底には、後述する補強部材２１ｃに掛け止められて作業時の袋体３０の横揺れを防止する揺れ止め部３０ａが縫着されている。
【００２０】
開口部３１の周縁部３１ａ，３１ｂは離間して対向し、連結支柱２１ｂ，２２ｂにそれぞれ取り付けられており、その取り付け部分は周縁部３１ａが連結支柱２１ｂまわりに折り返されるようにして縫合されている（周縁部３１ｂ、連結支柱２２ｂについても同様）。加えて袋体３０には、開口部３１を閉じるための蓋布３３が周縁部３１ａに沿って縫着されている。
【００２１】
また、収納部１０には、収納部１０を背負うときに両肩に掛ける一対のストラップ３５，３５が取り付けられている。これらストラップ３５には、厚みのある柔らかな肩当て３６と、長さを調節するバックル３７が設けられている。各ストラップ３５の上端は、フレーム２１の連結支柱２１ｂの中央に、連結支柱２１ｂまわりに折り返された状態で縫合されている。
【００２２】
ストラップ３５の下端は、フレーム２１の支柱２１ａ，２１ａにそれぞれ取り付けられている。ストラップ３５の下端には、ストラップ自身を面方向に折り曲げて縫合することによってループ部３８が形成されており、このループ部３８に支柱２１ａの先端が通されている。また、平行に離間している支柱２１ａ，２１ａの先端近傍には補強部材２１ｃが架設されており、ループ部３８は、支柱２１ａに固定された補強部材１２ｃの端部に掛け止められている。さらに支柱２１ａの先端には、ループ部３８の内径よりも太いゴムキャップ３９が被着されており、補強部材２１ｃとゴムキャップ３９とでループ部３８が挟み込まれて支柱２１ａからの脱落が防止されている。
【００２３】
補強部材２１ｃは、収納部１０を背負ったときに背中に当るため、背中から離した位置に配置され、樹脂製の連結部品２１ｄを介して支柱２１ａ，２１ａに固定されている。連結部品２１ｄは、補強部材２１ｃの両端をそれぞれ嵌め込まれ、支柱２１ａにビス止めされている。ゴムキャップ３９は、ストラップ３５を支柱２１ａに保持しておくためだけでなく、外枠を接地して立脚させたときに支柱２１ａ，２１ａや管部材２３の先端を保護する働きを担っている。
【００２４】
さらに、支柱２１ａ、１２ａ間には、背中に広く接して負担を軽減する帯状の背当て部４０が、補強部材２１ｃと並んで張設されている。背当て部４０は、ウレタン製のマット部材４１の上下に、両端にループ部４２ａを形成された帯状体４２が通されたもので、一方の側の２つのループ部４２ａを一方の支柱２１ａに通し、他方の側の２つのループ部４２ａを他方の支柱２１ａに通すことでフレーム２１に固定されている。２つの帯状体４２のうち、上に設けられる帯状体４２の両端のループ部４２ａは、補強部材２１ｃよりも上になる位置に通され、下に設けられる４２の両端のループ部４２ａは、補強部材２１ｃよりも下で、かつストラップ３５のループ部３８よりも上になる位置に通されている。つまり、ストラップ３５のループ部３８が支柱２１ａに先に通され、後から帯状体４２のループ部４２ａが通されている。２つのループ部３８，４２ａをこのような順で支柱２１ａに通すと、ストラップ３５のループ部３８は連結部品２１ｄに直に接するために収納部１０を背負ったときにストラップ３５の両端がしっかり固定される。また、収納部１０を背負ったとき、ストラップ３５のループ部３８が帯状体４２のループ部４２ａを押し上げるようにはならないので、マット部材４１が上にずれることがなく、常に定位置に留まる。
【００２５】
接合部材５０は、図３および図４に示すように、フレーム２１の支柱２１ａを内側に通される円筒部（第１円筒部）５１と、フレーム２２の支柱２２ａの先端を挿入される円筒部（第２円筒部）５２と、円筒部５１と円筒部５２とを繋ぐブラケット５３とから構成されている。さらに、接合部材５０は、円筒部５１、円筒部５２およびブラケット５３がいずれも半割りされた２つの部品からなる。そして、円筒部５１の一方の半割部品５１ａ、円筒部５２の一方の半割部品５２ａ、およびブラケット５３の一方の半割部品５３ａが一体となって半割体５０ａが形成されており、円筒部５１の他方の半割部品５１ｂ、円筒部５２の他方の半割部品５２ｂ、およびブラケット５３の他方の半割部品５３ｂが一体となって半割体５０ｂが形成されている。接合部材５０は、これら半割体５０ａ，５０ｂを、支柱２１ａや２１ｂを両側からそれらを挟むようにして組み合わせ、ネジ６０ａ〜６０ｄによって半割体５０ａ，５０ｂを相互に螺着することにより、支柱２１ａに支柱２２ａの先端を固定している。
【００２６】
半割体５０ａの円筒部５１，５２を構成する各半割部品５１ａ，５２ａには、ネジ６０ａ〜６０ｄを通す貫通孔５４が形成されており、貫通孔５４の周囲には、各ネジの頭を隠すように膨出部５４ａが形成されている。また、半割体５０ａのブラケット５３を構成する半割部品５３ａには、ブラケット５３を補強するためのリブ５５が、列をなすように複数形成されている。
【００２７】
半割体５０ｂの円筒部５１，５２を構成する各半割部品５１ｂ，５２ｂには、ネジ６０ａ〜６０ｄの先端を螺着される穴５６が形成されている。各穴５６は貫通しておらず、袋状に形成されているため、各半割部品５１ｂ，５２ｂの外面には、各ネジの先端に対応する位置に突起５６ａが形成されている。また、図では隠れているが、半割体５０ｂのブラケット５３を構成する半割部品５３ｂにも、ブラケット５３を補強するためのリブ５５が、列をなすように複数形成されている。
【００２８】
接合部材５０は、支柱２２ａの先端と支柱２１ａとを固定するために２個必要となるが、どちらの接合部材５０も、図５に示すように、貫通孔５４が形成された半割体５０ａを外枠２０の外側に、穴５６が形成された半割体５０ｂを袋体３０が置かれる内側にして支柱２２ａの先端と支柱２１ａとを挟むように組み合わされ、それぞれが外枠２０の外側からネジ６０ａ〜６０ｄを差し込まれる。ネジ６０ａ〜６０ｄは、貫通孔５４から差し込まれ、フレーム２１，２２にそれぞれ形成された孔を貫通し、穴５６に螺着される。これより、半割体５０ａ，５０ｂ間にフレーム２１，２２が挟み込まれる。
【００２９】
上記のように構成された背負い式粉粒状物散布器においては、フレーム２１の一対の支柱２１ａ，２１ａと管部材２３とが収納部１０を支える３本の脚となるが、散布器を背負うと、後方に突き出す脚は管部材２３の１本だけとなり、作物の茂った田畑の中を歩いても、歩行の邪魔になったり作物を傷付けたりする可能性が非常に低くなる。したがって、農薬や肥料等の散布作業を円滑に進めることができる。
【００３０】
また、収納部１０に農薬や肥料等を収納した場合、接合部材５０には非常に大きな力が作用することになるが、接合部材５０は上記のような構造により両フレーム２１，２２を強固に接合することが可能になる。さらに、接合部材５０は半割体５０ａ，５０ｂの２つの部品だけで構成されるため、製造コストの削減が見込める。加えて、接合部材５０は、外枠２０の外側からネジ６０ａ〜６０ｄを差し込まれるので、組立て作業が簡略になる。
【００３１】
次に、本発明に係る背負い式粉粒状物散布器の第２の実施形態を図６および図７に示して説明する。なお、上記第１の実施形態において既に説明した構成要素には同一符号を付して説明は省略する。
本実施形態の接合部材５０は、フレーム２２の支柱２２ａの先端を挿入される円筒部５２が底のある形状となっている。そして、円筒部５２を構成する２つの半割部品５２ａ，５２ｂのうち、一方の半割部品５２ａには、円筒部５２の底面５２ｃに沿うようにして他方の半割部品５２ｂ側に突き出す舌片５７が形成されている。舌片５７の先端には、円筒部５２の外側に向けて鈎状の爪部（本発明の係止爪に相当）５７ａが形成されている。また、他方の半割部品５２ｂには、爪部５７ａが嵌り込む爪穴（本発明の被係止部に相当）５８が形成されている。なお、本実施形態では、円筒部５２はネジ６０ｃ１本でフレーム２２の先端を固定するようになっている。
【００３２】
上記のように構成された背負い式粉粒状物散布器においては、半割体５０ａと半割体５０ｂとを組み合せ、内側にフレーム２２の支柱２２ａの先端を円筒部５２の底に着く位置まで挿入してネジ６０ｃで固定すると、支柱２２ａの先端が舌片５７に当接し、舌片５７の変形を拘束するので、爪穴５８から爪部５７ａが外れることがない。したがって、ネジを複数螺着させなくても、円筒部５２の形状を強固に保つことができる。また、ネジを螺着する手間がひとつ減ることで、組立て作業の効率が高まる。
【図面の簡単な説明】
【００３３】
【図１】本発明の第１の実施形態を示す図であって、背負い式粉粒状物散布器の全体斜視図である。
【図２】図１とは異なる方向から見た背負い式粉粒状物散布器の全体斜視図である。
【図３】接合部材の分解斜視図である。
【図４】接合部材の断面図である。
【図５】接合部材を用いて２つのフレームを固定する際の組立て作業のうち、特に接合部材にネジを螺着させる工程を示す状態説明図である。
【図６】本発明の第２の実施形態を示す図であって、接合部材の分解斜視図である。
【図７】接合部材の断面図である。
【符号の説明】
【００３４】
１０…収納部、１１…放出管、２０…外枠、３０…袋体、２１…フレーム（第１フレーム）、２２…フレーム（第２フレーム）、５０…接合部材、２３…管部材（棒状部材）、５１…円筒部（第１円筒部）、５２…円筒部（第２円筒部）、５３…ブラケット、５０ａ，５０ｂ…半割体、６０ａ〜６０ｄ…ネジ
【図１】
2007195563.tif 000003
【図２】
2007195563.tif 000004
【図３】
2007195563.tif 000005
【図４】
2007195563.tif 000006
【図５】
2007195563.tif 000007
【図６】
2007195563.tif 000008
【図７】
2007195563.tif 000009